(57)【要約】【課題】急を要する着信に応じて、マナーモードの解除することが可能な、携帯電話端末のマナーモード解除方法を提供する。【解決手段】あらかじめ設定された所定時間を計測するステップと、所定時間内に着信する電話番号を、着信時刻と対応させた着信履歴として記憶するステップと、所定時間内の新たな着信において、当該着信の着信電話番号が着信履歴に記録されている着信回数をカウントし、着信回数があらかじめ設定した所定回数に達しているかを判定するステップと、着信回数が所定回数に達している場合に、マナーモードを解除するステップとを備える。【選択図】図４
2009164986.tif 000002
【特許請求の範囲】
【請求項１】
あらかじめ設定された所定時間を計測するステップと、
前記所定時間内に着信する電話番号を、着信時刻と対応させた着信履歴として記憶するステップと、
前記所定時間内の新たな着信において、当該着信の着信電話番号が前記着信履歴に記録されている着信回数をカウントし、前記着信回数があらかじめ設定した所定回数に達しているかを判定するステップと、
前記着信回数が前記所定回数に達している場合に、マナーモードを解除するステップと
を備える携帯電話端末マナーモード解除方法。
【請求項２】
請求項１に記載の携帯電話端末マナーモード解除方法であって、前記解除するステップは、
前記着信回数が前記所定回数に達している場合に、着信音量を最大音量に設定するステップ
を含む携帯電話端末マナーモード解除方法。
【請求項３】
請求項１または請求項２に記載の携帯電話端末マナーモード解除方法であって、前記計測するステップは、
あらかじめ設定された時刻から前記所定時間の計測を開始するステップ
を含む携帯電話端末マナーモード解除方法。
【請求項４】
請求項１または請求項２に記載の携帯電話端末マナーモード解除方法であって、前記計測するステップは、
前記マナーモードへ設定されたときから前記所定時間の計測を開始するステップ
を含む携帯電話端末マナーモード解除方法。
【請求項５】
請求項１または請求項２に記載の携帯電話端末マナーモード解除方法であって、前記計測するステップは、
前記所定時間の計測開始の入力を検知した時から前記所定時間の計測を開始するステップを含む
携帯電話端末マナーモード解除方法。
【発明の詳細な説明】
【技術分野】
【０００１】
本発明は携帯電話端末に関し、特にマナーモード機能に関する。
【背景技術】
【０００２】
携帯電話端末のマナーモードは、着信時に着信音を発生させずに、携帯電話端末のバイブレーション機能を使用して携帯電話端末を振動させることで、ユーザーへ着信を知らせる機能である。マナーモードは、日常生活の中で携帯電話端末の着信音を発生させることができない状況下において利用される便利な機能である。
【０００３】
しかし、マナーモードを利用するにあっては、発信者が緊急に通話を行いたいと思い発信を行った場合に、通話が行われないことがある。これには、ユーザーが、携帯電話端末をマナーモードに設定したまま鞄等に入れてしまうことで、着信そのものに気が付かないという原因がある。また、ユーザーが着信に気が付いていても、ユーザーは会議中等の通話を行いにくい状況にあり、通話を見送るという原因もある。
【０００４】
このように、マナーモードは便利な機能であるが、利用方法によっては必要なときに通話が行えないという問題が発生する場合があった。このような問題を解決するために、以下のような従来技術が、開示されている。
【０００５】
特許文献１は、マナーモード設定解除機能と留守番電話機能との間で生じる支障を解消し、かつ、発信の目的に応じて着信のマナーモードを解除する無線携帯端末を開示している。特許文献１の無線携帯端末は、マナーモード機能を備えた無線携帯端末であって、着信時刻を含む着信情報を着信履歴として記憶する記憶部と、同一の発信者から送信してきた二以上の着信情報を記憶部から取り出し、二以上の着信情報を示す着信時刻の時刻差を算出する着信時間比較部と、着信時刻の時刻差が所定のマナーモード解除基準時間より短いときに、マナーモードの設定を解除するマナーモード制御部とを有する。
【特許文献１】特開２００４−０８８１４６号公報
【発明の開示】
【発明が解決しようとする課題】
【０００６】
本発明の目的は、急を要する着信に応じて、マナーモードを解除することが可能な、携帯電話端末マナーモード解除方法を提供することである。
【課題を解決するための手段】
【０００７】
本発明の携帯電話端末マナーモード解除方法は、あらかじめ設定された所定時間を計測するステップと、所定時間内に着信する電話番号を、着信時刻と対応させた着信履歴として記憶するステップと、所定時間内の新たな着信において、当該着信の着信電話番号が着信履歴に記録されている着信回数をカウントし、着信回数があらかじめ設定した所定回数に達しているかを判定するステップと、着信回数が所定回数に達している場合に、マナーモードを解除するステップとを備える。
【発明の効果】
【０００８】
本発明によれば、急を要する着信に応じて、マナーモードを解除することが可能な、携帯電話端末マナーモード解除方法を提供できる。
【発明を実施するための最良の形態】
【０００９】
添付図面を参照して、本発明の実施例による携帯電話端末のマナーモード解除方法を、以下に説明する。
【００１０】
（第１実施例）
本実施例においては、携帯電話端末がマナーモードである時に、同じ電話番号から、所定時間内に所定回数以上の着信があった場合、マナーモードを解除して、リンガー音を鳴らすことによって着信を通知する。
【００１１】
［構成の説明］
まず、図１を用いて、本実施例における携帯電話端末の構成の説明を行う。図１は、本実施例における携帯電話端末の機能ブロック図を示している。
【００１２】
本実施例の携帯電話端末は、音声入出力部１０と、バイブレーション部（以下、ＶＩＢ部）２０と、リンガー鳴動部３０と、表示部４０と、入力部５０と、通信部６０と、記憶部７０と、制御部８０とを備える。
【００１３】
音声入出力部１０は、携帯電話通信における音声の入出力機能を備える。音声入出力部１０は、マイク備え、携帯電話通信においてユーザーの音声を入力して制御部８０へ出力する。また、音声入出力部１０は、スピーカーを備え、携帯電話通信において、制御部８０が出力する対向側からの音声信号を音声として出力する。
【００１４】
ＶＩＢ部２０は、携帯電話端末がマナーモード設定されている場合に、着信があるとバイブレーション機能により端末を振動させることでユーザーへ着信を知らせる。
【００１５】
リンガー鳴動部３０は、携帯電話端末が通常モード（マナーモードへ設定されていない場合）の場合に、着信があるとリンガー音を鳴らすことでユーザーへ着信を知らせる。
【００１６】
表示部４０は、ＬＣＤ（Ｌｉｑｕｉｄ  Ｃｒｉｓｔａｌ  Ｄｉｓｐｌａｙ）を備え、ユーザーが着信に応答しなかった後に、着信があったこと表示する等、携帯電話端末の機能にかかる表示を行う。
【００１７】
入力部５０は、ユーザーがキー入力を行うためのキーを備えている。入力部５０は、ユーザーからキーへの入力を検知して制御部８０へキー入力を出力する。
【００１８】
通信部６０は、無線部（図示せず）を備え、携帯電話通信において、携帯電話ネットワークの基地局装置と無線信号の送受信を行うことによって無線通信を行う。
【００１９】
記憶部７０は、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）等で構成される。記憶部７０は、携帯電話端末の機能を実現するためのプログラムや、その他、携帯電話端末が提供する機能のデータを保存する。
【００２０】
制御部８０は、携帯電話端末の携帯電話通信やその他の携帯電話端末が提供する機能を、記憶部７０に保存されたプログラムを実行することによって実現する。また、制御部８０は、緊急着信時のマナーモードの解除動作を制御する。制御部８０は、マナーモード設定時、あらかじめ設定された一定時間（以下、所定時間）内に、同じ電話番号からあらかじめ設定された一定回数（以下、所定回数）着信があった時に、マナーモードを解除する。この場合、制御部８０は、リンガー鳴動部３０を駆動させリンガー音を発生させる。これによって、ユーザーは、発信者からの緊急着信を検知することが可能となる。
【００２１】
さらに、制御部８０について詳細な説明をおこなう。制御部８０は、さらに、キー押下確認部８１と、マナーモード設定部８２と、着信番号記憶部８３と、比較部８４と、タイマー部８５とを備える。
【００２２】
キー押下確認部８１は、入力部５０が出力するキー入力を検知し、各部位へ通知する。例えば、キー押下確認部８１は、キー入力を検知するとマナーモード設定部８２へマナーモード設定命令を出力する。
【００２３】
マナーモード設定部８２は、携帯電話端末のマナーモード設定状態を制御する。マナーモード設定部８２は、通常モードとマナーモードの二つのモードを有する。制御部８０は、マナーモード設定部８２が通常モードにある場合に着信があったときは、リンガー鳴動部３０を起動してリンガー音を鳴らす。マナーモード設定部８２は、キー押下確認部８１が出力するマナーモード設定命令を入力する。マナーモード設定部８２は、マナーモード設定命令を入力するとマナーモードへ移行する。マナーモード設定部８２が、制御部８０は、マナーモードにある場合に着信があったときは、ＶＩＢ部２０を起動して携帯電話端末を振動させる。
【００２４】
着信番号記憶部８３は、マナーモードにある場合に、着信した着信電話番号と着信時間を対応させて記憶する。着信番号記憶部８３は、着信があると制御部８０から着信番号を取得する。また、着信番号記憶部８３は、着信があると後述するタイマー部８５へ時刻取得命令を出力して、着信時刻を取得する。
【００２５】
比較部８４は、マナーモードにある場合、あらかじめ設定された一定時間（以下、所定時間）内に、同じ電話番号からあらかじめ設定された一定回数（以下、所定回数）以上着信があった時に、マナーモード設定部８２のマナーモードを解除する。比較部８４は、事前に所定時間と所定回数を記憶している。所定時間と所定回数は、あらかじめユーザーによって設定される。ユーザーが入力部５０へ入力した所定時間と所定回数は比較部８４へ記憶される。比較部８４は、マナーモード時に着信番号記憶部８３に記憶されている電話番号を監視している。比較部８４は、マナーモード時に着信があると、新たに着信した電話番号と同様の電話番号が着信番号記憶部８３に記憶された電話番号の中に存在するか確認する。比較部８４は、新たに着信した電話番号が、着信番号記憶部８３に記憶された電話番号に含まれる場合は、当該電話番号が何度着信しているかをカウントする。比較部８４は、当該電話番号が着信した回数をカウントした結果、当該電話番号の着信が所定回数以上ある場合に、新たな着信の着信時間と新たな着信から所定回数前の着信の着信時間との差分時間を求める。比較部８４は、差分時間が所定時間より短い場合、新たな着信を緊急着信と判定する。比較部８４は、新たな着信を緊急着信と判定すると、マナーモード設定部８２へマナーモード解除命令を出力する。マナーモード設定部８２は、比較部８４が出力したマナーモード解除命令を入力する。マナーモード設定部８２は、マナーモードから通常モードへ移行する。制御部８０は、マナーモード設定部８２が通常モードであるので、リンガー鳴動部を駆動させ、リンガー音を鳴らす。
【００２６】
タイマー部８５は、時間を計測する。タイマー部８５は、着信番号記憶部８３が出力する時刻取得命令を入力する。タイマー部８５は、現在の時刻を着信番号記憶部８３へ応答する。
【００２７】
なお、マナーモード設定部８２が、マナーモードから通常モードへ移行するのは、比較部８４が当該着信を緊急着信と判定した着信のみでもよい。また、マナーモード設定部８２は、一度比較部８４が緊急着信と判定した後に、同じ電話番号からの着信があった場合には、常に通常モードへ移行してもよい。
【００２８】
以上が、本実施例における構成の説明である。
【００２９】
［動作方法の説明］
次に、本実施例における動作方法の説明を行う。
【００３０】
≪所定時間と所定回数の設定≫
まず、図２および図３を用いて、本実施例における所定時間と所定回数の設定動作方法について説明する。図２は、所定時間と所定回数を設定する動作フローを示している。また、図３は、所定時間と所定回数を設定する入力画面のイメージを示している。
【００３１】
（ステップＡ０１）
携帯電話端末の操作メニューには、例えば、図３に示すような「緊急解除設定」というような項目を追加しておく。ユーザーが「緊急解除設定」を選択すると、表示部４０には設定画面が出力される。ユーザーは、入力部５０へ所定時間を入力する。所定時間は、「１０分」、「３０分」、「６０分」のように入力する。図３を参照すると、ユーザーは所定時間を「６０分」と入力したことが確認できる。
【００３２】
（ステップＡ０２）
所定時間の入力が完了すると、次にユーザーは、入力部５０へ所定回数の入力をおこなう。所定回数は、「１０回」、「２０回」のように入力する。図３を参照すると、ユーザーは所定回数を「１０回」と入力していることが確認できる。ユーザーは入力が完了すると「ＯＫ」を選択して設定を終了する。ユーザーが入力した所定時間と所定回数は、キー押下確認部８１を通じて比較部８４へ記憶される。
【００３３】
以上が、所定時間と所定回数の設定動作方法である。なお、所定時間と所定回数の設定動作方法はこれに限定しない。図３を参照すると、所定時間は「６０分」、所定回数は「１０回」と入力されているので、６０分以内に同じ着信番号から１０回着信があった時点でマナーモードを解除する。
【００３４】
≪マナーモード緊急解除の動作方法≫
次に、図４を用いて、マナーモード緊急解除の動作方法を説明する。図４は、マナーモード緊急解除の動作方法を示している。本説明において、携帯電話端末には、あらかじめ、所定時間「６０分」と所定回数「１０回」が設定されている。
【００３５】
（ステップＢ０１）
本動作方法の当初において、携帯電話端末は通常モードにある。ユーザーは、入力部５０に「マナーモード設定」を入力する。例えば、入力部５０は、「マナーモード設定ボタン」（図示せず）を有している。ユーザーは、「マナーモード設定ボタン」を押下することによって「マナーモード設定」を入力する。入力部５０は、マナーモード設定ボタンのキー入力を制御部８０のキー押下確認部８１へ通知する。キー押下確認部８１は、マナーモード設定ボタンのキー入力を検知し、マナーモード設定部８２へマナーモード設定命令を出力する。マナーモード設定部８２は、キー押下確認部８１が出力するマナーモード設定命令を入力する。マナーモード設定部８２は、通常モードからマナーモードへ移行する。これによって、携帯電話端末は、マナーモードで着信をする。マナーモード設定部８２は、比較部８４と、着信番号記憶部８３へマナーモード移行を通知する。着信番号記憶部８３は、マナーモード設定部８２からマナーモード移行を通知されると、この後の着信において着信番号を着信時刻と対応させて記憶する。
【００３６】
（ステップＢ０２）
携帯電話端末は、通信部６０を介して他の携帯電話端末から着信する。
【００３７】
（ステップＢ０３）
着信番号記憶部８３は、制御部８０から着信した着信電話番号を取得する。着信番号記憶部８３は、タイマー部８５へ時刻取得命令を出力する。タイマー部８５は、着信番号記憶部８３が出力する時刻取得命令を入力する。タイマー部８５は、現在時刻を着信番号記憶部８３へ出力する。着信番号記憶部８３は、タイマー部８５が出力した現在時刻を入力する。着信番号記憶部８３は、着信した電話番号と、タイマー部８５から取得した現在時刻を、対応させて記憶する。
【００３８】
（ステップＢ０４）
制御部８０は、マナーモード設定部８２がマナーモードにあることを検知する。制御部８０は、ＶＩＢ部２０を駆動する。ＶＩＢ部２０は、バイブレーション機能により振動することによって、着信をユーザーへ通知する。
【００３９】
（ステップＢ０５）
ユーザーが、着信に応じて、入力部５０の通話ボタン（図示せず）を押下する場合は、ステップＢ０６へ進む。一方、ユーザーが、着信に応じ無い場合には、ステップＢ０７へ進む。
【００４０】
（ステップＢ０６）
ユーザーが着信に応じて入力部５０の通話ボタンを押下すると、入力部５０は、通話ボタン押下のキー入力をキー押下確認部８１へ通知する。キー押下確認部８１は、通話ボタン押下のキー入力を検知する。キー押下確認部８１は、制御部８０へ通話ボタンの押下を通知する。制御部８０は、キー押下確認部８１から通話ボタン押下のキー入力を通知され、通話を開始する。また、キー押下確認部８１は、着信番号記憶部８２へ通話ボタン押下を通知する。着信番号記憶部８２は、通話ボタン押下通知を入力する。着信番号記憶部８２は、記憶している電話番号を消去する。
【００４１】
（ステップＢ０７）
ユーザーが着信に応じない場合、発信者が通話を切断する。制御部８０は、表示部４０へ着信した電話番号と着信時刻を不在着信表示して、ユーザーへ不在着信があったことを通知する。
【００４２】
（ステップＢ０８）
携帯電話端末は、通信部６０を介して他の携帯電話端末から着信する。
【００４３】
（ステップＢ０９）
着信番号記憶部８３は、制御部８０から着信した着信電話番号を取得する。着信番号記憶部８３は、タイマー部８５へ時刻取得命令を出力する。タイマー部８５は、着信番号記憶部８３が出力する時刻取得命令を入力する。タイマー部８５は、現在時刻を着信番号記憶部８３へ出力する。着信番号記憶部８３は、タイマー部８５が出力した現在時刻を入力する。着信番号記憶部８３は、着信した電話番号と、タイマー部８５から取得した現在時刻を、対応させて記憶する。制御部８０は比較部８４へ着信を通知する。比較部８４は、制御部８０からの通知を受けて着信を検知する。比較部８４は、着信した電話番号が着信番号記憶部８３に何回記憶されているかをカウントする。
【００４４】
（ステップＢ１０）
比較部８４は、着信した電話番号と同じ電話番号を着信番号記憶部８３でカウントした結果が、比較部８４が記憶している所定回数に達しているかを判定する。
着信した電話番号のカウント結果が所定回数に達している場合は、ステップＢ１１へ進む。着信した電話番号のカウント結果が所定回数に達していない場合は、ステップＢ０４へ戻る。
【００４５】
（ステップＢ１１）
着信した電話番号のカウント結果が所定回数に達している場合、比較部８４は、着信番号記憶部８３に記憶されている、着信した電話番号と同様の電話番号の着信記録のうち、現在の着信から所定回数前の着信記録に記録されている着信時刻を取得する。比較部８４は、取得した現在時刻と、現在の着信から所定回数前の着信記録に記録されている着信時刻との差分である着信時間差を算出する。
【００４６】
（ステップＢ１２）
比較部８４は、着信時間差が、比較部８４に記憶している所定時間以下であるかを判定する。着信時間差が所定時間以下である場合は、ステップＢ１３へ進む。着信時間差が所定時間以下でない場合は、ステップＢ０４へ戻る。
【００４７】
（ステップＢ１３）
着信時間差が所定時間以下である場合、比較部８４は、当該着信を緊急着信と判定する。比較部８４は、マナーモード設定部８２へ、マナーモード解除命令を出力する。マナーモード設定部８２は、判定部８４が出力するマナーモード解除命令を入力する。マナーモード設定部８２は、マナーモードから通常モードへ移行する。
【００４８】
（ステップＢ１４）
制御部８０は、マナーモード設定部８２が通常モードにあることを検知する。制御部８０は、リンガー鳴動部３０を駆動する。リンガー鳴動部３０は、リンガー音を発生して、着信をユーザーへ通知する。
【００４９】
以上が、マナーモード緊急解除の動作方法の説明である。
【００５０】
携帯電話端末がマナーモードにある時に、比較部８４は、着信があると着信番号記憶部８３に着信した電話番号が何回記憶されているかをカウントする。比較部８４は、着信した電話番号をカウントした結果と、所定回数とを比較する。比較部８４は、着信した電話番号をカウントした結果が、所定回数に達している場合、現在の着信時刻と、現在の着信から所定回数前の着信記録に記録されている着信時刻との差分である着信時間差を算出する。比較部８４は、着信時間差が所定時間以下であるかを判定する。比較部８４は、着信時間差が所定時間以下である場合、当該着信を緊急着信と判断する。比較部８４は、マナーモード解除命令を出力して、マナーモード設定部８２は通常モードへ移行する。これによって、制御部８０は、リンガー鳴動が駆動しリンガー音を鳴らして着信を通知する。ユーザーは、携帯端末からリンガー音が発生することで、当該着信が急を要する着信であることを認識することができる。このような動作方法によって、ユーザーがあらかじめ設定した所定時間内に所定回数の着信がある場合にマナーモードを解除することができる。
【００５１】
以上が、第１実施例の説明である。
【００５２】
（第２実施例）
本実施例においては、携帯電話端末の着信音が最小設定である時に、同じ電話番号から、所定時間内に所定回数以上の着信があった場合に、着信音量を最大設定にし、リンガー音を最大音で鳴らすことによって着信を通知する。
【００５３】
［構成の説明］
以下、図５を用いて、本実施例の構成の説明を行う。図５は、本実施例における携帯電話端末の機能ブロック図を示している。本説明においては、第１実施例と差異のある部分について説明する。
【００５４】
本実施例において、制御部８０は、実施例１で備えるマナーモード設定部８２の変わりに、着信音設定部８６を備える。
【００５５】
着信音設定部８６は、リンガー鳴動部３０が発生するリンガー音の音量を制御する。着信設定部８６は、リンガ−鳴動部３０へ着信音の大きさを複数のレベルで設定が可能である。説明を簡易に行うため、本実施例において着信音設定部８６は、着信音レベルを最大値（以下、着信音ＭＡＸ値）と最小値（以下、着信音ＭＩＮ値）をリンガー鳴動部３０へ設定する。なお、着信音設定部８６の着信音レベル設定値はこれに限定しない。
【００５６】
本実施例において、着信番号記憶部８３は、着信音ＭＩＮ値設定にある場合に、着信した着信電話番号と着信時間を対応させて記憶する。着信番号記憶部８３は、着信があると制御部８０から着信番号を取得する。また、着信番号記憶部８３は、着信があるとタイマー部８５へ時刻取得命令を出力して、着信時刻を取得する。
【００５７】
比較部８４は、着信音ＭＩＮ値設定にある場合、所定時間内に、同じ電話番号から所定回数に達する着信があった時に、着信音設定部８６の着信音レベルを変更する。比較部８４は、事前に所定時間と着信回数を記憶している。所定時間と着信回数は、あらかじめユーザーによって設定される。ユーザーが入力部５０へ入力した所定時間と着信回数は比較部８４へ記憶される。
比較部８４は、着信音ＭＩＮ値設定時に着信番号記憶部８３に記憶されている電話番号を監視する。比較部８４は、着信音ＭＩＮ値設定時に着信があると、新たに着信した電話番号と同様の電話番号が着信番号記憶部８３に記憶された電話番号の中に存在するかを確認する。比較部８４は、新たに着信した電話番号が、着信番号記憶部８３に記憶された電話番号に含まれる場合は、当該電話番号が何度着信しているかをカウントする。比較部８４は、当該電話番号が着信した回数をカウントした結果、当該電話番号の着信が所定回数に達した場合、新たな着信の着信時間と新たな着信から所定回数前の着信の着信時間との差分時間を求める。比較部８４は、差分時間が所定時間より短い場合、新たな着信を緊急着信と判定する。比較部８４は、新たな着信を緊急着信と判定すると、着信音設定部８６へ着信音ＭＡＸ値設定命令を出力する。着信音設定部８６は、比較部８４から着信音ＭＡＸ値設定命令を入力する。着信音設定部８６は、着信音ＭＩＮ値設定から着信音ＭＡＸ値設定へ移行する。制御部８０は、着信音設定部８６が着信音ＭＡＸ値設定であるので、リンガー鳴動部を駆動させ、着信音ＭＡＸ値でリンガー音を鳴らす。
【００５８】
なお、着信音ＭＡＸ値でリンガー音を発生させるのは、比較部８４が当該着信を緊急着信と判定した着信のみでもよい。また、一度緊急着信と判定した後は、同じ電話番号からの着信に対しては、常に着信音ＭＡＸ値でリンガー音を発生させてもよい。
【００５９】
以上が、本実施例の構成の説明である。
【００６０】
［動作の説明］
次に、本実施例における動作方法の説明を行う。
【００６１】
≪所定時間と所定回数の設定≫
所定時間と所定回数を設定する動作方法については、第１実施例と同様であるので説明を省略する。
【００６２】
≪着信音ＭＩＮ値設定緊急解除の動作方法≫
次に、図６を用いて、着信音ＭＩＮ値設定緊急解除の動作方法を説明する。図６は、着信音ＭＩＮ値設定緊急解除の動作方法を示している。本説明において、携帯電話端末には、あらかじめ、所定時間「６０分」と所定回数「１０回」が設定されている。本説明においては、第１実施例の動作方法と異なる部分について説明する。図６のステップＣ０１〜Ｃ０４が第１実施例との動作方法の差異にあたる部分である。
【００６３】
（ステップＣ０１）
本動作方法の当初において、携帯電話端末は着信音ＭＡＸ値設定にある。ユーザーは、入力部５０に「着信音ＭＩＮ設定」を入力する。例えば、入力部５０は、「着信音設定ボタン」（図示せず）を有している。ユーザーは、「着信音設定ボタン」を押下することによって「着信音ＭＩＮ設定」を入力する。入力部５０は、着信音設定ボタンのキー入力を制御部８０のキー押下確認部８１へ通知する。キー押下確認部８１は、着信音設定ボタンのキー入力を検知し、着信音設定部８６へ着信音ＭＩＮ設定命令を出力する。着信音設定部８６は、キー押下確認部８１が出力する着信音ＭＩＮ設定命令を入力する。着信音ＭＩＮ設定部８６は、着信音を着信音ＭＩＮ設定へ移行する。これによって、携帯電話端末は、着信音レベルを最小レベルで着信する。着信音設定部８６は、比較部８４と、着信番号記憶部８３へ着信音ＭＩＮ設定移行を通知する。着信番号記憶部８３は、着信音設定部８６から着信音ＭＩＮ設定移行を通知されると、この後の着信において着信番号と着信時を記憶する。
【００６４】
（ステップＣ０２）
制御部８０は、着信音設定部８６が着信音ＭＩＮ設定にあることを検知する。制御部８０は、リンガー鳴動部３０を駆動する。リンガー鳴動部３０は、リンガー音をＭＩＮ設定で発生させることによって、着信をユーザーへ通知する。
【００６５】
（ステップＣ０３）
着信時間差が所定時間以下である場合、比較部８４は、当該着信を緊急着信と判定する。比較部８４は、着信音設定部８６へ、着信音ＭＡＸ値設定命令を出力する。着信音設定部８６は、判定部８４が出力する着信音ＭＡＸ値設定命令を入力する。着信音設定部８６は、着信音ＭＡＸ値設定へ移行する。
【００６６】
（ステップＣ０４）
制御部８０は、着信音設定部８６が着信音ＭＡＸ値設定にあることを検知する。制御部８０は、リンガー鳴動部３０を駆動する。リンガー鳴動部３０は、リンガー音をＭＡＸ値で発生して、着信をユーザーへ通知する。
【００６７】
以上が、着信音ＭＩＮ値設定緊急解除の動作方法の説明である。
【００６８】
携帯電話端末が着信音ＭＩＮ値設定にある時に、比較部８４は、着信があると着信番号記憶部８３に着信した電話番号が何回記憶されているかをカウントする。比較部８４は、着信した電話番号をカウントした結果と、所定回数とを比較する。比較部８４は、着信した電話番号をカウントした結果が、所定回数に達している場合、現在の着信時刻と、現在の着信から所定回数前の着信記録に記録されている着信時刻との差分である着信時間差を算出する。比較部８４は、着信時間差が所定時間以下であるかを判定する。比較部８４は、着信時間差が所定時間以下である場合、当該着信を緊急着信と判断する。比較部８４は、着信音ＭＡＸ設定命令を出力して、着信音設定部８６は着信音ＭＡＸ設定へ移行する。これによって、制御部８０は、リンガー鳴動部３０を駆動しリンガー音をＭＡＸ設定で鳴らして着信を通知する。ユーザーは、携帯端末からリンガー音が着信音ＭＡＸ設定で発生することで、当該着信が急を要する着信であることを認識することができる。このような動作方法によって、ユーザーがあらかじめ設定した所定時間内に所定回数の着信がある場合に着信音ＭＩＮ設定を解除することができる。
【００６９】
以上が、第２実施例の説明である。
【００７０】
また、緊急着信の判定は、次のように行ってもよい。第１実施例及び第２実施例では、マナーモード中あるいは着信音ＭＩＮ設定中において、着信した電話番号と同じ電話番号から受けた着信のうち、所定回数前の着信時刻から現在の着信の着信時刻までの時間と、所定時間との比較によって緊急着信であるかを判定している。これを、定めた時刻から所定時間経過後までに同じ電話番号からの着信が所定回数以上あるかを確認することによって行ってもよい。
【００７１】
前述のとおり、所定時間「６０分」と所定回数「１０回」が設定されている場合を考える。この場合、タイマー部８５は、ユーザーが入力部５０へマナーモード設定あるいは着信音ＭＩＮ設定を入力し、携帯電話端末がマナーモード設定あるいは着信音ＭＩＮ設定へ移行した時刻から所定時間の計測を開始する。また、着信番号記憶部８３は、携帯電話端末がマナーモード設定あるいは着信音ＭＩＮ設定へ移行した時から、着信電話番号の記憶を開始する。さらに比較部８４は、携帯電話端末がマナーモード設定あるいは着信音ＭＩＮ設定へ移行した時から、同じ電話番号からの着信の監視を行う。比較部８４は、着信の度に同じ電話番号からの着信回数をカウントする。
例えば、ユーザーが、午前１０時にマナーモード設定を行ったとする。タイマー部８５は、午前１０時から６０分時後の午前１１時までを所定時間と認識して計測する。着信番号記憶部８３は、午前１０時から６０分時後の午前１１時まで着信電話番号の記憶を行う。比較部８４は、午前１０時から午前１１時までの６０分間に同じ電話番号からの着信が１０回ある場合に、当該着信を緊急電話と判定する。
【００７２】
この場合の動作方法について説明する。前述のステップＢ０１において、比較部８４は、マナーモード設定への移行、あるいは着信音ＭＩＮ設定への移行を通知されると、同じ電話番号からの着信の監視を開始する。同様に、着信番号記憶部８３は、マナーモード設定への移行、あるいは着信音ＭＩＮ設定への移行を通知されると、着信電話番号の記憶を開始する。同時に、比較部８４は、タイマー部８５へ所定時間測定開始命令を出力する。タイマー部８５は、所定時間測定開始命令を入力すると、所定時間の計測を開始する。
タイマー部８５は、計測開始からの時間が所定時間に達すると、比較部８４と着信番号記憶部８３へ所定時間経過通知を出力する。比較部８４は、タイマー部８５からの通知を受けて同じ電話番号からの着信の監視を解除する。着信番号記憶部８３は、タイマー部８５からの通知を受けて着信電話番号の記憶を停止する。
比較部８４は、所定時間測定開始命令を出力後から所定時間経過通知を入力するまでの間に、同じ電話番号からの着信が所定回数に達した場合に、マナーモード設定あるいは着信音ＭＩＮ設定を解除する。
【００７３】
このようにすれば、ユーザーは、例えば会議のようにリンガー音を鳴らして着信を行いづらい特定の時間の開始時刻にマナーモード設定あるいは着信音ＭＩＮ設定を行うことで、当該開始時刻から所定時間の緊急着信について、マナーモード設定あるいは着信音ＭＩＮ設定の解除を行うことが可能となる。
【００７４】
また、入力部５０に「緊急解除設定ボタン（図示せず）」を設けておき、タイマー部８５は、緊急解除設定ボタンを押下した時から、所定時間の計測を開始してもよい。このようにすれば、既にマナーモードや着信音ＭＩＮ設定の場合においても、ユーザーの必要に応じて希望する時刻から所定時間の計測を開始することができる。所定時間「６０分」経過後は通常のマナーモードへ復帰移行してもよい。
【００７５】
さらに、図３の緊急解除設定の設定画面において、所定時間を開始日時と終了日時を指定することによって設定してもよい。この場合、ユーザーは、例えば、「開始時刻：２００７年１２月２０日午前１０：００」と「終了時刻：２００７年１２月２０日午前１１：００」のように所定時間を設定する。比較部８４は、開始時刻と終了時刻が設定されると、タイマー部８５へ開始時刻と終了時刻を通知する。タイマー部８５は、開始時刻になると、比較部８４へ開始時刻の到来を通知する。比較部８４は、タイマー部８５からの通知を受けて、マナーモード設定あるいは着信音ＭＩＮ設定を行う。比較部８４は、終了時刻が到来するまでの間に、同じ電話番号からの着信が所定回数に達すると緊急着信と判定する。タイマー部８５は、終了時刻になると比較部８４へ所定時間の経過を通知する。比較部８４は、タイマー部８５からの通知を受けて、マナーモード設定あるいは着信音ＭＩＮ設定を解除する。また、比較部８４は、開始時刻において既にマナーモード設定あるいは着信音ＭＩＮ設定されている場合には、開始時刻では同じ電話番号からの着信の監視を開始して、終了時刻において着信の監視を解除するのみとしてもよい。このようにすれば、必要な時間帯のみ同じ電話番号からの着信の監視を行い、所定時間経過後もマナーモード設定あるいは着信音ＭＩＮ設定を継続できる。
【００７６】
以上、説明してきたとおり、本発明の携帯電話端末のマナーモード解除方法によれば、所定時間内に同じ電話番号からの着信が所定回数に達した時点でマナーモードあるいは着信音ＭＩＮ設定を解除することが可能となる。これによって、発信者が緊急に連絡を取りたい場合に、着信側の携帯電話端末がマナーモードや着信音ＭＩＮ設定になっていたとしても、当該携帯電話端末のユーザーにリンガー音で着信を通知することが可能となる。
【図面の簡単な説明】
【００７７】
【図１】本発明の第１実施例に係る構成図である。
【図２】本発明の所定時間と所定回数を設定する動作フローである。
【図３】本発明の所定時間と所定回数を設定する入力画面である。
【図４】本発明の第１実施例に係る動作フローである。
【図５】本発明の第２実施例に係る構成図である。
【図６】本発明の第２実施例に係る動作フローである。
【符号の説明】
【００７８】
１０  音声入出力部
２０  ＶＩＢ部
３０  リンガー鳴動部
４０  表示部
５０  入力部
６０  通信部
７０  記憶部
８０  制御部
８１  キー押下確認部
８２  マナーモード設定部
８３  着信番号記憶部
８４  比較部
８５  タイマー部
８６  着信音設定部
【図１】
2009164986.tif 000003
【図２】
2009164986.tif 000004
【図３】
2009164986.tif 000005
【図４】
2009164986.tif 000006
【図５】
2009164986.tif 000007
【図６】
2009164986.tif 000008